(57)【特許請求の範囲】
【請求項１】
手の指の強化器具であり、この強化器具は、手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、各弾性パッドの弾性面の反対面にそれぞれ固着された第１弾性パッド支持部及び第２弾性パッド支持部と、各パッド支持部を一体的に連結する連結部から成るパッド支持体によって構成され、前記第１弾性パッドと前記第２弾性パッドは、前記第１弾性パッド支持部側を手のひらに当て、前記第１弾性パッドの弾性面を人差指、中指、薬指、小指の指先部で突き立て得る握り状態において、前記第２弾性パッドの弾性面が親指の指先部を突き立て可能な位置に配置されるように、互いの弾性面が互いに向き合う方向に向けて配置されるとともに、前記第２弾性パッドの弾性面を前記第１弾性パッドの弾性面の横幅方向の一端部側にずらして配置したことを特徴とする指の強化器具。
【請求項２】
手の指の強化器具であり、この強化器具は、手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、自転車のグリップ部分や杖のグリップ部分などの略円形の棒状体の外周に着脱可能に嵌合し得る弾性材から成る断面略Ｃ字状のグリップ部と、このグリップ部の外周から略半径方向に突出されると共に、このグリップ部のグリップ長さ方向に延ばした突出片から成る第１弾性パッド支持部と、この第１弾性パッド支持部の一端部側から延設された第２弾性パッド支持部から成るパッド支持体によって構成され、前記第１弾性パッド支持部の片面に前記第１弾性パッドの弾性面の反対面を固着して支持し、前記第２弾性パッド支持部の片面に前記第２弾性パッドの弾性面の反対面を固着して支持してあり、前記第１弾性パッドの弾性面を人差指、中指、薬指、小指の指先部で突き立て可能な位置で前記グリップ部を手で握る握り状態において、前記第２弾性パッドの弾性面が親指の指先部を突き立て可能な位置に配置されるように、この第２弾性パッドの弾性面を、前記第１弾性パッドの弾性面の横幅方向の一端部側にずらして配置するとともに、前記グリップ部の周り方向において前記第１弾性パッドの弾性面とは反対の方向に向けて配置したことを特徴とする指の強化器具。
【請求項３】
手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、各弾性パッドの弾性面の反対面にそれぞれ固着された第１弾性パッド支持部及び第２弾性パッド支持部と、各パッド支持部を一体的に連結する連結部から成るパッド支持体によって構成され、前記第１弾性パッドと前記第２弾性パッドは、前記第１弾性パッド支持部側を手のひらに当て、前記第１弾性パッドの弾性面を人差指、中指、薬指、小指の指先部で突き立て得る握り状態において、前記第２弾性パッドの弾性面が親指の指先部を突き立て可能な位置に配置されるように、互いの弾性面が互いに向き合う方向に向けて配置されるとともに、前記第２弾性パッドの弾性面を前記第１弾性パッドの弾性面の横幅方向の一端部側にずらして配置して構成した手の指の強化器具と、足の指の強化器具から成り、この足の指の強化器具は、樹脂又はゴム製のクッション性を有する弾性体で一体形成され、靴内部の先端部側の靴床面に敷設して装着できる形態を有し、この足の指の強化器具の上面に足の指を指先部から入れることができる凹部溝を形成し、この凹部溝の前方壁部と後方壁部を逆ハ字形状の傾斜面とし、前方壁部の傾斜面に足の指先部を突き立てるようにしたことを特徴とする指の強化器具。
【請求項４】
手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、自転車のグリップ部分や杖のグリップ部分などの略円形の棒状体の外周に着脱可能に嵌合し得る弾性材から成る断面略Ｃ字状のグリップ部と、このグリップ部の外周から略半径方向に突出されると共に、このグリップ部のグリップ長さ方向に延ばした突出片から成る第１弾性パッド支持部と、この第１弾性パッド支持部の一端部側から延設された第２弾性パッド支持部から成るパッド支持体によって構成され、前記第１弾性パッド支持部の片面に前記第１弾性パッドの弾性面の反対面を固着して支持し、前記第２弾性パッド支持部の片面に前記第２弾性パッドの弾性面の反対面を固着して支持してあり、前記第１弾性パッドの弾性面を人差指、中指、薬指、小指の指先部で突き立て可能な位置で前記グリップ部を手で握る握り状態において、前記第２弾性パッドの弾性面が親指の指先部を突き立て可能な位置に配置されるように、この第２弾性パッドの弾性面を、前記第１弾性パッドの弾性面の横幅方向の一端部側にずらして配置するとともに、前記グリップ部の周り方向において前記第１弾性パッドの弾性面とは反対の方向に向けて配置して構成した手の指の強化器具と、足の指の強化器具から成り、この足の指の強化器具は、樹脂又はゴム製のクッション性を有する弾性体で一体形成され、靴内部の先端部側の靴床面に敷設して装着できる形態を有し、この足の指の強化器具の上面に足の指を指先部から入れることができる凹部溝を形成し、この凹部溝の前方壁部と後方壁部を逆ハ字形状の傾斜面とし、前方壁部の傾斜面に足の指先部を突き立てるようにしたことを特徴とする指の強化器具。
【発明の詳細な説明】
【技術分野】
【０００１】
本発明は、手や足の指先部を刺激しながら指の筋肉を強化できる強化器具に関する。
【背景技術】
【０００２】
本発明者は、足の爪先部を強化できる足指強化履物を提案してある（特許文献１）。この足指強化履物は、靴の床部のつま先部分に、足の指が靴の床部分をつかむ様な形の段差をつけた構造である。この足指強化履物によれば、靴の床部のつま先部分に段差をつけた事により使用時に足の指の筋肉を強化できるものである。
【０００３】
本発明者は、例えばウォーキングやジョギング中、又はサイクリング中に、この種の足指強化履物を用いると同時に、手の指先部（爪先部）を刺激しながら指の筋肉を同時に強化できるようにすれば、より効果的であることを着想した。
【０００４】
手の強化具としては、握ったＶ字形状の器具をバネ弾性に抗して閉じることによって、手の握力を強化できるようにした強化具が知られているが、この強化具は、手の握力を強化できるようにしたものであって、手の指先部（爪先部）を刺激しながら指の筋肉を強化できるようにしたものではない。
【先行技術文献】
【特許文献】
【０００５】
【特許文献１】特開２００７−１６００６１号公報
【発明の概要】
【発明が解決しようとする課題】
【０００６】
このような実情に鑑み、本発明は、例えばウォーキング中やジョギング中であっても、手軽に手の指先部（爪先部）を５本同時（親指、人差指、中指、薬指、小指の５本同時）に刺激しながら５本の指の筋肉を強化できる手の指の強化器具を提供することを課題（第一の課題）とするものである。
【０００７】
また、本発明は、例えばサイクリング中や杖を携行した散歩中であっても、手軽に手の指先部（爪先部）を５本同時（親指、人差指、中指、薬指、小指の５本同時）に刺激しながら５本の指の筋肉を強化できる手の指の強化器具を提供することを課題（第二の課題）とするものである。
【０００８】
また、公知（特許文献１）の足指強化履物では、足の指が靴の床部分をつかむ様な形の段差をつけた構造であるため、足の指の裏側に効果的な刺激を与えることができたが、足の指先部（爪先部）を刺激しながら足の指の筋肉を強化できるものではなかった。本発明は、足の指の裏側に効果的な刺激を与えると共に、足の指先部（爪先部）を刺激しながら足の指の筋肉を強化できる足の指の強化器具を提供することを課題（第三の課題）とするものである。
【課題を解決するための手段】
【０００９】
上記した課題（第一の課題）を解決するため、本発明（請求項１の発明）は、手の指の強化器具であり、この強化器具は、手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、各弾性パッドの弾性面の反対面にそれぞれ固着された第１弾性パッド支持部及び第２弾性パッド支持部と、各パッド支持部を一体的に連結する連結部から成るパッド支持体によって構成され、前記第１弾性パッドと前記第２弾性パッドは、前記第１弾性パッド支持部側を手のひらに当て、前記第１弾性パッドの弾性面を人差指、中指、薬指、小指の指先部で突き立て得る握り状態において、前記第２弾性パッドの弾性面が親指の指先部を突き立て可能な位置に配置されるように、互いの弾性面が互いに向き合う方向に向けて配置されるとともに、前記第２弾性パッドの弾性面を前記第１弾性パッドの弾性面の横幅方向の一端部側にずらして配置したことを特徴とする指の強化器具を提供する。
【００１０】
また、上記した課題（第二の課題）を解決するため、本発明（請求項２の発明）は、手の指の強化器具であり、この強化器具は、手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、自転車のグリップ部分や杖のグリップ部分などの略円形の棒状体の外周に着脱可能に嵌合し得る弾性材から成る断面略Ｃ字状のグリップ部と、このグリップ部の外周から略半径方向に突出されると共に、このグリップ部のグリップ長さ方向に延ばした突出片から成る第１弾性パッド支持部と、この第１弾性パッド支持部の一端部側から延設された第２弾性パッド支持部から成るパッド支持体によって構成され、前記第１弾性パッド支持部の片面に前記第１弾性パッドの弾性面の反対面を固着して支持し、前記第２弾性パッド支持部の片面に前記第２弾性パッドの弾性面の反対面を固着して支持してあり、前記第１弾性パッドの弾性面を人差指、中指、薬指、小指の指先部で突き立て可能な位置で前記グリップ部を手で握る握り状態において、前記第２弾性パッドの弾性面が親指の指先部を突き立て可能な位置に配置されるように、この第２弾性パッドの弾性面を、前記第１弾性パッドの弾性面の横幅方向の一端部側にずらして配置するとともに、前記グリップ部の周り方向において前記第１弾性パッドの弾性面とは反対の方向に向けて配置したことを特徴とする指の強化器具を提供する。
【００１１】
また、上記した課題（第三の課題）を解決するため、本発明（請求項３の発明）は、手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、各弾性パッドの弾性面の反対面にそれぞれ固着された第１弾性パッド支持部及び第２弾性パッド支持部と、各パッド支持部を一体的に連結する連結部から成るパッド支持体によって構成され、前記第１弾性パッドと前記第２弾性パッドは、前記第１弾性パッド支持部側を手のひらに当て、前記第１弾性パッドの弾性面を人差指、中指、薬指、小指の指先部で突き立て得る握り状態において、前記第２弾性パッドの弾性面が親指の指先部を突き立て可能な位置に配置されるように、互いの弾性面が互いに向き合う方向に向けて配置されるとともに、前記第２弾性パッドの弾性面を前記第１弾性パッドの弾性面の横幅方向の一端部側にずらして配置して構成した手の指の強化器具と、足の指の強化器具から成り、この足の指の強化器具は、樹脂又はゴム製のクッション性を有する弾性体で一体形成され、靴内部の先端部側の靴床面に敷設して装着できる形態を有し、この足の指の強化器具の上面に足の指を指先部から入れることができる凹部溝を形成し、この凹部溝の前方壁部と後方壁部を逆ハ字形状の傾斜面とし、前方壁部の傾斜面に足の指先部（爪先部）を突き立てるようにしたことを特徴とする指の強化器具を提供する。
【００１２】
また、上記した課題（第三の課題）を解決するため、本発明（請求項４の発明）は、手の人差指、中指、薬指、小指の指先部を横幅方向に一列に並べた状態で突き立て可能な横幅長さの弾性面をもつ樹脂又はゴム製の弾性体から成る第１弾性パッドと、手の親指の指先部を突き立て可能な弾性面をもつ樹脂又はゴム製の弾性体から成る第２弾性パッドと、自転車のグリップ部分や杖のグリップ部分などの略円形の棒状体の外周に着脱可能に嵌合し得る弾性材から成る断面略Ｃ字状のグリップ部と、このグリップ部の外周から略半径方向に突出されると共に、このグリップ部のグリップ長さ方向に延ばした突出片から成る第１弾性パッド支持部と、この第１弾性パッド支持部の一端部側から延設された第２弾性パッド支持部から成るパッド支持体によって構成され、前記第１弾性パッド支持部の片面に前記第１弾性パッドの弾性面の反対面を固着して支持し、前記第２弾性パッド支持部の片面に前記第２弾性パッドの弾性面の反対面を固着して支持してあり、前記第１弾性パッドの弾性面を人差指、中指、薬指、小指の指先部で突き立て可能な位置で前記グリップ部を手で握る握り状態において、前記第２弾性パッドの弾性面が親指の指先部を突き立て可能な位置に配置されるように、この第２弾性パッドの弾性面を、前記第１弾性パッドの弾性面の横幅方向の一端部側にずらして配置するとともに、前記グリップ部の周り方向において前記第１弾性パッドの弾性面とは反対の方向に向けて配置して構成した手の指の強化器具と、足の指の強化器具から成り、この足の指の強化器具は、樹脂又はゴム製のクッション性を有する弾性体で一体形成され、靴内部の先端部側の靴床面に敷設して装着できる形態を有し、この足の指の強化器具の上面に足の指を指先部から入れることができる凹部溝を形成し、この凹部溝の前方壁部と後方壁部を逆ハ字形状の傾斜面とし、前方壁部の傾斜面に足の指先部（爪先部）を突き立てるようにしたことを特徴とする指の強化器具を提供する。
【発明の効果】
【００１３】
本発明（請求項１の発明）によれば、例えばウォーキング中やジョギング中であっても、第１弾性パッド支持部を手のひらに当て、この第１弾性パッドの弾性面を人差指、中指、薬指、小指の指先部で突き立て得る手の握り状態で、第１弾性パッドの弾性面に親指を除いた４本の指（人差指、中指、薬指、小指）の指先部（爪先部）を突き立てると共に、第２弾性パッドの弾性面に親指の指先部を突き立てることによって、手軽に手の指先部（爪先部）を５本同時（親指、人差指、中指、薬指、小指の５本同時）に刺激しながら５本の指の筋肉を強化できる。しかも、手の指先部（爪先部）が５本同時に刺激を受けることによって、血行が良くなる効果もある。
【００１４】
また、本発明（請求項２の発明）によれば、強化器具のグリップ部を自転車のハンドルのグリップ部分や杖のグリップ部分に装着して用いることができる。したがって、例えばサイクリング中や杖を携行した散歩中であっても、ハンドルや杖のグリップ部分に装着した強化器具のグリップ部を握った状態で、第１弾性パッドの弾性面に親指を除いた４本の指（人差指、中指、薬指、小指）の指先部（爪先部）を突き立てると共に、第２弾性パッドの弾性面に親指の指先部を突き立てることによって、手軽に手の指先部（爪先部）を５本同時（親指、人差指、中指、薬指、小指の５本同時）に刺激しながら５本の指の筋肉を強化できる。しかも、手の指先部（爪先部）が５本同時に刺激を受けることによって、血行が良くなる効果もある。
【００１５】
また、本発明（請求項３，４の発明）によれば、前記した手の指の強化器具と、足の指を指先部から入れることができる凹部溝を形成し、この凹部溝の前方壁部と後方壁部を逆ハ字形状の傾斜面とし、前方壁部の傾斜面に足の指先部（爪先部）を突き立てるようにした足の指の強化器具から構成したものであるため、後方壁部の傾斜面を足の指がつかむ様にして凹部溝内に指を入れて用いれば、足の指の裏側は凹部溝の後方壁部の傾斜面によって効果的な刺激を与えられると共に、足の指先部（爪先部）を凹部溝の前方壁部の傾斜面に突き立てることができる。これによって、手軽に足の指を５本同時（親指、人差指、中指、薬指、小指の５本同時）に刺激しながら指の筋肉を強化できる。
【００１６】
本発明（請求項３，４の発明）は、ウォーキング中やジョギング中、又はサイクリング中や杖を携行した散歩中に、手と足の指の強化器具を一緒に用いるようにすれば、手と足の指先部を刺激しながら手と足の指の筋肉を強化でき、全身運動となり、より効果的である。
【図面の簡単な説明】
【００１７】
【図１】手の指の強化器具を示す斜面図である。
【図２】図１の強化器具の使用状態を示した正面図である。
【図３】手の指の強化器具の他の実施形態を示す斜面図である。
【図４】図３の強化器具の使用状態を示した斜面図である。
【図５】足の指の強化器具を示す平面図である。
【図６】図５の強化器具の使用状態を示した要部縦断面図である。
【図７】足の指の強化器具の他の実施形態を示す平面図である。
【図８】図７の強化器具の使用状態を示した要部縦断面図である。
【発明を実施するための形態】
【００１８】
図１及び図２は手の指の強化器具の実施形態を示している。この強化器具１は、手の人差指、中指、薬指、小指の指先部を横幅方向に一列に並べた状態で突き立て可能な横幅長さの弾性面２ａをもつ樹脂又はゴム製の弾性体から成る第１弾性パッド２と、手の親指の指先部を突き立て可能な弾性面３ａをもつ樹脂又はゴム製の弾性体から成る第２弾性パッド３と、各弾性パッド２，３の弾性面２ａ，３ａの反対面にそれぞれ固着された第１弾性パッド支持部６Ａ及び第２弾性パッド支持部６Ｂと、各パッド支持部６Ａ，６Ｂを一体的に連結する連結部７から成るパッド支持体５によって構成されている。
【００１９】
前記第１弾性パッド２と前記第２弾性パッド３は、前記第１弾性パッド支持部６Ａを手のひらに当て、前記第１弾性パッド２の弾性面２ａを人差指、中指、薬指、小指の指先部で突き立て得る手の握り状態において、前記第２弾性パッド３の弾性面３ａが親指の指先部を突き立て可能な位置に配置されるように、互いの弾性面２ａ，３ａが互いに向き合う方向に向けて配置されるとともに、前記第２弾性パッド３の弾性面３ａを前記第１弾性パッド２の弾性面２ａの横幅方向の一端部側にずらして配置してある。
【００２０】
第１弾性パッド２及び第２弾性パッド３は、これらの弾性面２ａ，３ａに爪を立てるように指先部を強く突き立てると、この弾性面２ａ，３ａは凹むが、この弾性面２ａ，３ａから指先部を離せば元の弾性面に戻る、樹脂又はゴム製の弾性体から成っている。この弾性体としては、発泡ポリエチレンなどの発泡プラスチック（プラスチックフォーム）を採択できる。また、前記パッド支持体５は、比較的硬質のプラスチック材や金属材で形成されている。
【００２１】
前記第２弾性パッド３のパッド支持部６Ｂは、前記第１弾性パッド２のパッド支持部６Ａの一端部から略Ｌ字状に延設された連結部７を介して略平行にずらして連結されている。
【００２２】
前記第２弾性パッド３は、前記第１弾性パッド２の弾性面２ａの横幅方向の一端部より外側にずらして配置され、前記第１弾性パッド２の弾性面２ａの端部より該弾性面と直交する方向に長く延ばした延長部３Ａａをもつ略長方形の弾性面３ａを有する主パッド部３Ａと、この主パッド部３Ａの前記延長部３Ａａから横幅方向の内側に設けた補助パッド部３Ｂを含むものである。この補助パッド部３Ｂの弾性面３ａは主パッド部３Ａの延長部３Ａａの弾性面３ａから内側方向に向け傾斜させた傾斜面としても良い。
【００２３】
なお、図１及び図２では左手用の強化器具を示した。右手用の強化器具は図２のＡ−Ａ線を基線として左右対称に形成すれば良い。
【００２４】
使用に際しては、図２に示したように、第１弾性パッド２のパッド支持部６Ａを手のひらに当て、この第１弾性パッド２の弾性面２ａを人差指Ｆ２、中指Ｆ３、薬指Ｆ４、小指Ｆ４の指先部で突き立て可能な状態に握り、この握り状態で第１弾性パッド２の弾性面２ａに親指Ｆ１を除いた４本指（人差指Ｆ２、中指Ｆ３、薬指Ｆ４、小指Ｆ５）の指先部（爪先部）を突き立てると共に、第２弾性パッド３の弾性面３ａに親指Ｆ１の指先部を突き立て、この突き立て動作を繰り返し行うことによって用いる。これによって、例えばウォーキング中やジョギング中であっても、手軽に手の指先部（爪先部）を５本同時（親指、人差指、中指、薬指、小指の５本同時）に刺激しながら５本の指の筋肉を強化できる。しかも、手の指先部（爪先部）が５本同時に刺激を受けることによって、血行が良くなる効果もある。
【００２５】
また、図１、図２の実施形態によれば、前記第２弾性パッド３は、延長部３Ａａをもつ略長方形の弾性面３ａを有する主パッド部３Ａと、補助パッド部３Ｂを含むものであるため、親指Ｆ１の指先部を突き立てる位置を変えながら突き立て動作を行うことが出来る。
【００２６】
図３及び図４は手の指の強化器具の他の実施形態を示している。この強化器具１は、手の人差指、中指、薬指、小指の指先部を横幅方向に一列に並べた状態で突き立て可能な横幅長さの弾性面２ａをもつ樹脂又はゴム製の弾性体から成る第１弾性パッド２と、手の親指の指先部を突き立て可能な弾性面３ａをもつ樹脂又はゴム製の弾性体から成る第２弾性パッド３と、自転車のハンドルのグリップ部分Ｇなどの略円形の棒状体（杖のグリップ部分でも良い）の外周に着脱可能に嵌合し得る弾性材から成る断面略Ｃ字状のグリップ部８と、このグリップ部８の外周から略半径方向に突出されると共に、このグリップ部８のグリップ長さ方向に延ばした突出片から成る第１弾性パッド支持部６Ａと、この第１弾性パッド支持部６Ａの一端部側から略Ｌ字状に延設された第２弾性パッド支持部６Ｂから成るパッド支持体５によって構成され、前記第１弾性パッド支持部６Ａの片面に前記第１弾性パッド２の弾性面２ａの反対面を固着して支持し、前記第２弾性パッド支持部６Ｂの片面に前記第２弾性パッド３の弾性面３ａの反対面を固着して支持してある。
【００２７】
前記第１弾性パッド２の弾性面２ａを人差指、中指、薬指、小指の指先部で突き立て可能な位置で前記グリップ部８を手で握る握り状態において、前記第２弾性パッド３の弾性面３ａが親指の指先部を突き立て可能な位置に配置されるように、この第２弾性パッド３の弾性面３ａを、前記第１弾性パッド２の弾性面２ａの横幅方向の一端部側にずらして配置するとともに、前記グリップ部８の周り方向において前記第１弾性パッド２の弾性面２ａとは反対の方向に向けて配置してある。
【００２８】
さらに、前記第２弾性パッド３として、前記第１弾性パッド２の背面位置において、前記第１弾性パッド２の弾性面２ａの横幅方向の一端部側にずらして配置した第２弾性パッド３を更に設け、この第２弾性パッド３の弾性面３ａを前記第１弾性パッド２の弾性面２ａに対して直交する方向に向けて配置してある。すなわち、図３、図４に図示した実施形態では、第２弾性パッド３が離れた位置に複数（二箇所）形成されている。
【００２９】
この実施形態の第１弾性パッド２及び第２弾性パッド３も、図１及び図２の実施形態と同様に、これらの弾性面２ａ，３ａに爪を立てるように指先部を強く突き立てると、この弾性面２ａ，３ａは凹むが、この弾性面２ａ，３ａから指先部を離せば元の弾性面に戻る、樹脂又はゴム製の弾性体から成っている。この弾性体としては、発泡ポリエチレンなどの発泡プラスチック（プラスチックフォーム）を採択できる。また、前記パッド支持体５は、比較的硬質のプラスチック材や金属材で形成されている。
【００３０】
なお、図３及び図４では左手用の強化器具を示した。右手用の強化器具は図示した強化器具の右端部を基準として左右対称に形成すれば良い。
【００３１】
使用に際しては、図４に示したように、この強化器具１のグリップ部８を自転車のハンドルのグリップ部分Ｇに装着して用いる。また、この強化器具のグリップ部８を杖のグリップ部分に装着して用いても良い。ハンドルや杖のグリップ部分Ｇに装着した強化器具１のグリップ部８を手で握った状態で、第１弾性パッド２の弾性面２ａに親指を除いた４本指（人差指Ｆ２、中指Ｆ３、薬指Ｆ４、小指Ｆ５）の指先部（爪先部）を突き立てると共に、第２弾性パッド３の弾性面３ａに親指Ｆ１の指先部を突き立て、この突き立て動作を繰り返し行うことによって用いる。これによって、例えばサイクリング中や杖を携行した散歩中であっても、手軽に手の指先部（爪先部）を５本同時（親指、人差指、中指、薬指、小指の５本同時）に刺激しながら５本の指の筋肉を強化できる。しかも、手の指先部（爪先部）が５本同時に刺激を受けることによって、血行が良くなる効果もある。
【００３２】
また、図３、図４の実施形態では、第２弾性パッド３が離れた位置に複数（二箇所）形成されている。したがって、親指の指先部を突き立てる位置を変えながら突き立て動作を行うことが出来る。
【００３３】
図５及び図６は足の指の強化器具の実施形態を示している。この強化器具１０は、樹脂又はゴム製のクッション性を有する弾性体で一体形成され、靴内部の先端部側の靴床面Ｗに敷設して装着できる形態を有し、この強化器具１０の上面に足の指Ｆ（足の指の第一関節より先端部）を指先部（爪先部）から入れることができる凹部溝１１を形成し、この凹部溝１１の前方壁部１１Ａと後方壁部１１Ｂを逆ハ字形状の傾斜面とし、前方壁部１１Ａの傾斜面に足の指先部（爪先部）を突き立てるようにしたことを特徴としている。なお、図５に一点鎖線で示した輪郭は靴床面Ｆの輪郭線である。また図５の平面図におけるハッチングは前方壁部１１Ａの傾斜面と後方壁部１１Ｂの傾斜面を分かりやすくするために便宜的に付したものである。
【００３４】
図７及び図８は足の指の強化器具の他の実施形態を示している。この強化器具１０は、靴内部の靴床面Ｗに敷設されるインソール部１５と、このインソール部１５の先端部側のインソール面１５ａに接着した、樹脂又はゴム製のクッション性を有する弾性体で形成された別体の前方強化部１６と後方強化部１７から成り、前記インソール面１５ａに接着された前方強化部１６と後方強化部１７の間に足の指Ｆ（足の指の第一関節より先端部）を指先部（爪先部）から入れることができる凹部溝１１を形成し、この凹部溝１１の前方壁部１１Ａと後方壁部１１Ｂを逆ハ字形状の傾斜面とし、前方壁部１１Ａの傾斜面に足の指先部（爪先部）を突き立てるようにしたことを特徴としている。なお、図７の平面図におけるハッチングは前方壁部１１Ａの傾斜面と後方壁部１１Ｂの傾斜面を分かりやすくするために便宜的に付したものである。
【００３５】
図５〜図８に示した足の指の強化器具によれば、強化器具１０に足の指Ｆ（足の指の第一関節より先端部）を指先部（爪先部）から入れることができる凹部溝１１を形成し、この凹部溝１１の前方壁部１１Ａと後方壁部１１Ｂを逆ハ字形状の傾斜面とし、前方壁部１１Ａの傾斜面に足の指先部（爪先部）を突き立てるようにしたことを特徴としたものであるため、後方壁部１１Ｂの傾斜面を足の指がつかむ様にして凹部溝１１内に指を指先部（爪先部）から入れて用いれば、足の指の裏側は凹部溝１１の後方壁部１１Ｂの傾斜面によって効果的な刺激を与えられると共に、足の爪先部（先端部）を凹部溝１１の前方壁部１１Ａの傾斜面に突き立てることができる。これによって、例えばウォーキング中やジョギング中、あるいはサイクリング中であっても、手軽に足の指を５本同時（親指、人差指、中指、薬指、小指の５本同時）に刺激しながら指の筋肉を強化できる。しかも、足の指先部（爪先部）が５本同時に刺激を受けることによって、血行が良くなる効果もある。
【００３６】
例えばウォーキング中やジョギング中に、図１及び図２の手の指の強化器具１と、図５及び図６の足の指の強化器具１０（図７及び図８の足の指の強化器具１０でも良い）を一緒に用いるようにすれば、手と足の指先部を刺激しながら手と足の指の筋肉を同時に強化でき、全身運動となり、より効果的である。また、例えばサイクリング中に、図３及び図４の手の指の強化器具１と、図５及び図６の足の指の強化器具１０（図７及び図８の足の指の強化器具１０でも良い）を同時に用いるようにすれば、手と足の指先部を刺激しながら手と足の指の筋肉を同時に強化でき、全身運動となり、より効果的である。
【符号の説明】
【００３７】
１  手の指の強化器具
２  第１弾性パッド
２ａ  第１弾性パッドの弾性面
３  第２弾性パッド
３ａ  第２弾性パッドの弾性面
３Ａ  第２弾性パッドの主パッド部
３Ａａ  主パッド部の延長部
３Ｂ  第２弾性パッドの補助パッド部
５  パッド支持体
６Ａ  第１弾性パッド支持部
６Ｂ  第２弾性パッド支持部
７  連結部
８  強化器具のグリップ部
Ｇ  自転車のハンドルのグリップ部分
１０  足の指の強化器具
Ｗ  靴床面
１１  凹部溝
１１Ａ  凹部溝の前方壁部
１１Ｂ  凹部溝の後方壁部
１５  インソール部
１６  前方強化部
１７  後方強化部
【図１】
0005702193.tif 000002
【図２】
0005702193.tif 000003
【図３】
0005702193.tif 000004
【図４】
0005702193.tif 000005
【図５】
0005702193.tif 000006
【図６】
0005702193.tif 000007
【図７】
0005702193.tif 000008
【図８】
0005702193.tif 000009